Podtech/llm-jp-corpus-v4-ja_patent huggingface dataset:
(57)【要約】      （修正有）【課題】ガラス製のペン先を着脱できる構造により、耐年性があり実用的な筆記具を提供する。【解決手段】接続部を有するガラス製ペン先３と、穴部Ａを有するペン軸２からなる筆記具であって、ペン軸の穴部にシリコン製チューブ１が接着され、接続部がシリコン製チューブを介して穴部と着脱自在に取り付けられた筆記具である。ペン軸の穴部にシリコン製チューブを埋め込み接着した構造とすることで、ガラス製ペン先の着脱が確実且つ容易となる。【選択図】図１
0003228856.tif 000002
【実用新案登録請求の範囲】
【請求項１】
接続部を有するガラス製ペン先と、穴部を有するペン軸からなる筆記具であって、前記ペン軸の穴部にシリコン製チューブが接着され、前記接続部が前記シリコン製チューブを介して前記穴部と着脱自在に取り付けられた筆記具。
【請求項２】
シリコン製チューブの軸方向の長さが穴部の軸方向の長さよりも短い請求項１に記載の筆記具。
【考案の詳細な説明】
【技術分野】
【０００１】
本考案は、ペン先がガラス製の筆記具に関するものである。
【背景技術】
【０００２】
ペン先がガラス製の筆記具については特許文献１に記載されている。しかし、ガラス製ペン先が着脱可能な木製及び樹脂製等ペン軸のガラスペンは、ガラス製ペン先の接続部と木製及び樹脂製等のペン軸の穴部との、寸法すり合わせに精度が必要なため、相当に高度な加工技術を必要とする。
【先行技術文献】
【特許文献】
【０００３】
【特許文献１】実用新案登録第３２２３９２３号
【考案の概要】
【考案が解決しようとする課題】
【０００４】
ガラス製ペン先の接続部を差し込む木製及び樹脂製等のペン軸穴径加工において、その高度な加工技術が求められるために、不適合製品が出てしまう難点があった。ガラス製ペン先の接続部の外径にも±0.03ｍｍ程度の個体差があるため、ペン軸の穴部の内径と適合させるのには、かなり難易度が高かった。
【課題を解決するための手段】
【０００５】
本考案は、接続部を有するガラス製ペン先と、穴部を有するペン軸からなる筆記具であって、前記ペン軸の穴部にシリコン製チューブが接着され、前記接続部が前記シリコン製チューブを介して前記穴部と着脱自在に取り付けられた筆記具である。シリコン製チューブの軸方向の長さが穴部の軸方向の長さよりも短いのが好ましい。
ガラス製ペン先の接続部を差し込むペン軸の穴部に、シリコン製チューブを埋め込み接着することにより、ガラス製ペン先接続部の微小な個体差を吸収して確実にガラス製ペン先接続部とペン軸穴部を、互いの摩擦力によってしっかりと固定することが可能となる。
【考案の効果】
【０００６】
本考案により木製/樹脂製等のペン軸の穴部空け加工の精度にも余裕ができるため、製品加工において材料の歩留まりが格段に向上する。
【図面の簡単な説明】
【０００７】
【図１】本考案に基づいて制作した実施例1である。
【図２】本考案に基づいて制作した実施例2である。
【考案を実施するための形態】
【０００８】
木製及び樹脂製ペン軸の持ち手先端にシリコン製チューブを埋め込むに適した径の穴部を空ける。穴部の深さに合わせてカットしたシリコン製チューブを木製及び樹脂製ペン軸の穴部に埋め込み接着固定する。シリコン製チューブの穴部の内径はガラス製ペン先の接続部の外径と同じ寸法とする。ガラス製ペン先の接続部をシリコン製チューブの奥まで差し込むことで、ガラス製ペン先と木製及び樹脂製ペン軸が互いの摩擦力により、しっかりと固定される。また互いに接着しないことで着脱が可能になり、ガラス製ペン先の交換が容易にできる。
【実施例１】
【０００９】
以下、添付図面に沿って実施例を説明する。図1における符号1はシリコン製チューブで、チューブの穴径はガラス製ペン先/符号３の接続部径と同じである。符号2はろくろ成形した木製ペン軸である。符号Aはシリコン製チューブを埋め込む穴部で、符号３はガラス製ペン先である。符号３の接続部外径と符号Aの穴部内径は同じで、符号A穴の長さ(深さ)は符号1の全長よりも長くなっている。符号１を符号２の穴部に差し込み接着固定する。符号３を符号1の穴部に差し込むことで互いの摩擦力により、ガラス製ペン先は木製ペン軸にしっかりと固定される。
【実施例２】
【００１０】
図２における符号1はシリコン製チューブで、チューブの内径はガラス製ペン先/符号5の接続部の外径と同じである。符号４は樹脂成形したペン軸である。符号Bはシリコン製チューブを埋め込む穴部で、符号５はガラス製ペン先である。符号１のチューブ外径と符号Bの穴部内径は同じで、符号B穴の長さ(深さ)は符号1の全長よりも長くなっている。符号１を符号４の穴部に差し込み接着する。符号５を符号1の穴部に差し込むことで互いの摩擦力により、ガラス製ペン先は樹脂製ペン軸にしっかりと固定される。
【００１１】
上記２例のようにガラス製ペン先をペン軸に固定する方法において、ペン先の形状およびペン軸の材質および形状においては限定されない。ペン軸素材は木材・アクリル樹脂・プラスチック・カーボン素材・軽金属(アルミ/チタン等)が使用できる。
【産業上の利用可能性】
【００１２】
ガラス製ペン先とペン軸が着脱可能なガラスペンは、すでに製品化されて広く流通し販売されている。本考案の筆記具構造により、ガラス製ペン先の着脱がより確実且つ容易になり、幅広い世代に受け入れられる。日常使いできる実用的筆記具としての要素が高く、価格も比較的安価に提供できるため、多くの人に使用してもらうことが可能になる。
【符号の説明】
【００１３】
１  シリコン製チューブ
２  木製ペン軸
A  穴部
３  ガラス製ペン先/ストレート溝
４  樹脂製ペン軸
５  ガラス製ペン先/螺旋溝
B  穴部
【図１】
0003228856.tif 000003
【図２】
0003228856.tif 000004
(57)【要約】      （修正有）【課題】車内をイートインスペース、カフェオフィスとして利用する場合により快適に、より効率的に利用できる１人用ラップトップテーブルを提供する。【解決手段】薄くて軽量の３枚の木製板で構成され、天板の裏に取り付けられた脚部の板が丁番により開閉可能とする。脚部の板は天板に丁番で固定し、先端に磁石を取り付けて内側に折り畳み時は天板に密着し、開いたときは９０度より外側に開かないように固定する。【選択図】図１
0003228576.tif 000002
【実用新案登録請求の範囲】
【請求項１】
薄くて、軽量の３枚の木製板を使用し、全体の形状はコの字型に作成し、車のシートに座った時、ひざ（腿）の上に載せ、開いた脚が両腿の外側にくるようにはさめて使用する一人用簡易テーブルである。
【請求項２】
２枚の板を使用した脚部分は天板の裏に丁番で取り付けるが、内側に折りたたむと天板の裏に重なるように、また天板の両端を両手で持つと、脚部の板が自然に落ちて垂直になるが、それ以上外側には開かないように、かつ脚板の高さは、天板の位置がひざより高くならないような長さにする。
【考案の詳細な説明】
【技術分野】
【０００１】本考案は、テーブル天板に取り付ける脚部分の板に丁番を付けることにより天板に沿って内側に畳むことができ、開くときは垂直に止まるようにすることが特徴である。
【背景技術】
【０００２】社内で飲食をする時、飲み物や食べ物を手に持ったりドリンクホルダーやひざの上、シートやコンソールボックスの上に載せていた。車内用の手作りテーブルを車内の各部に取り付けることも可能であるが、テーブルが重量、大掛かりになり、作成に費用がかさみ、利用取り扱い、収納面でも不便である。
【考案が解決しようとする課題】
【０００３】消費税増税、新型コロナウイルスの感染拡大などの影響もあり、コンビニやカフェのイートインスペースを利用する機会が少なくなる傾向があり、代わりに自家用車内で飲食する機会が増えた。しかし通常の車内では飲食物を置く場所がなかったり、手に持つには不便だったり、シートやひざにこぼしたりのリスクが伴う。また車内では書き物やパソコンの使用に不便をきたす。
【課題を解決するための手段】
【０００４】総重量が７００以下になるように材質は薄い木製とし、脚部分はテーブルとほぼ同じ幅の板を取り付け、その高さは、ひざに載せた時車のシートに軽くつく程度にして、両脚を内側に畳んだ時互いに重ならないように短くする。開いた（起こした）脚が外側に開きすぎないように、垂直の位置で止まるように丁番で止める。
【考案の効果】
【０００５】不要な時は、一枚の板状に折り畳んで袋に入れて車の座席か、後部トランクに収納して（載せて）おき、必要な時はいつでも手軽に取り出し、両脚を開いて座ったひざの上に載せるだけ。テーブルはひざに載せ、両腿で軽く支えるだけで平らで安定するので、食べ物（パン、カップ麺、弁当など）や飲み物を手に持たなくても２，３個は楽にテーブルに置いて食事ができる。読書や書き物、パソコンの作業、子供のゲーム、絵本読みなども快適にできる。うつ伏せで仮眠するのも楽。
【図面の簡単な説明】
【０００６】
【図１】  本考案のラップトップテーブルの正面図である。
【図２】  本考案のラップトップテーブルを裏返した図である。
【図３】  本考案のラップトップテーブルの脚を取り付けた部分の拡大図である。
【図４】  本考案のラップトップテーブルの両脚を折りたたんだ場合の図である。
【図５】  本考案のラップトップテーブルの実施例を示す図である。
【考案を実施するための形態】
【０００７】テーブル天板の両端を利用手で持つと脚部分の板が下に落ち、ぶらぶらと揺れるぐらいに緩やかにする。しかし両脚の厚みの部分が天板の裏につかえてそれ以上（９０度以上）開かないように丁番で止める。
【実施例】
【０００８】以下添付図面に沿って説明する。１の天板には約４５ｃｍｘ２５ｃｍ幅の薄い、軽量の木板を使用する。四角は削って丸みをつける。【０００９】２の脚板は天板の両端より少し内側に取り付け、脚間の間隔は座ったときの両腿の幅と大体同じ約３５ｃｍとする。脚板の厚みは天板と同じでいいが、最小の丁番を使っても、もし丁番のネジくぎが板の厚さよりも長くて、締めた時にはみ出る場合は、脚板の底に当たる部分に薄い板を張り付け、ネジくぎの先端が天板の表面に突き出ないようにする。【００１０】図３で見るように、丁番は脚の内側に左右２個ずつ使用するが、脚を倒すときは両側がくっつくように、開くときは９０度の位置で止まるように丁番を取り付ける。【００１１】図４のように、両脚を内側に閉じると天板の裏にくっつくようになる。もし脚の高さがあまり高くなると、畳んだ時に両脚が重なってしまうので短めにする。【００１２】図５は、テーブルを実際に使用する時の図であるが、脚の高さが高くなるとひざ面よりテーブル面が高くなり、ひざとテーブルの間に隙間ができて不安定になる。
【図１】
0003228576.tif 000003
【図２】
0003228576.tif 000004
【図３】
0003228576.tif 000005
【図４】
0003228576.tif 000006
【図５】
0003228576.tif 000007
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
薄くて軽量の３枚の木製板で構成され、天板の裏に取り付けられた脚部の板が丁番により開閉可能なことを特徴とする一人用ラップトップテーブル
【請求項２】
脚部の板は天板に丁番で固定し、先端に磁石を取り付けて内側に折り畳み時は天板に密着し、開いたときは９０度より外側に開かないように固定することを特徴とする一人用ラップトップテーブル
【手続補正３】
【補正対象書類名】明細書
【補正対象項目名】０００７
【補正方法】変更
【補正の内容】
【０００７】  テーブル天板の両端を両手で持つと脚部分の板が下に落ち、ぶらぶらと揺れるくらいに緩くなる。しかし両脚の厚みの部分が天板の裏につかえてそれ以上（９０度以上）開かないように丁番で止める。
(57)【要約】      （修正有）【課題】災害、伝染病などが発生した時、役所や病院の被災、市民の住宅倒壊など、危機管理においてバッアップ的な機能、救助船としても活躍する方舟を提供する。【解決手段】方舟は、災害発生時の対応として、地方自治体の庁舎、病院、ホテルを三位一体したクルーズ船の様な方舟で、通常は役所の業務、病院は診療、治療などの医療業務、ホテルはシティホテルとして宿泊の営業を行い、災害発生時、役所は災害対策本部、病院は災害救急病院、ホテルは避難民受入住宅として機能する「ノアの方舟」の役割をして、自分達地域の被災が無く、他県や外国で災害や伝染病などが発生した時、食料、水、医薬品、燃料を満載して出航して「救助船」としてＳＧＤｓ（国連が推奨する持続可能な開発目標）に則した国際貢献をする。【選択図】図１
0003228575.tif 000002
【実用新案登録請求の範囲】
【請求項１】
地方自治体の庁舎と病院、更にホテルを合体した船を建造する。
【請求項２】
通常利用に併せ、災害発生時のバックアップ施設とする。
【請求項３】
他地域の災害に出航して、救助船として機能する。
【考案の詳細な説明】
【考案の詳細な説明】
この考案は、地方自治体の庁舎と病院とホテルを合体させ、１隻の船を建造する「ノアの方舟」的な方式です。（例えば横浜港の氷川丸はホテルだけですが。）
今、世界中で多くの災害が発生しています。日本でも、地震、風水害、又、最近では伝染病などの問題は人類の存続も危ぶまれます。
阪神大震災、東日本大震災などでの避難対策にこれからの対策に多くの教訓があります。
この構想では、県庁や市庁舎などの行政機能の一部を豪華客船の様な船を建造して、この中へ公営でも私立でも病院機能を作り、更にホテル機能を合体したマシーンとします。通常時は庁舎は市民サービスを行い、港の岸壁には空港の搭乗口の様なビルからバリアフリー化した物にして、老人でも障害者も安心して手続に来庁出来るようにする。そして、病院機能は通常は一般外来、救急医療を行い、船尾にはヘリポートを備え、ドクターヘリの着艦が可能とします。病室も適当な数を設けます。更にホテル機能を合体させます。これも通常はホテルとして営業し、レストランなどのお食事も可能とします。
これが、もしもの災害発生時、陸上の役所機能がマヒした時にも、この船上庁舎が行政機能、災害対策本部、市民サービス機能を行うバックアップとする。病院は、負傷者を受け入れる救急病院機能を発揮させ、人命救助を行う。ホテルは通常営業から切替、避難住民受け入れを行う避難住宅機能と病院の病室にも流用する。ホテル・レストランの厨房は避難住民の食事を供給する。その為には、船としての食料、水、燃料などは、航海が出来る量を確保するものとする。
そして、自分たちの地域が被災せず他県や他国での災害発生時には、アンカーを揚げ、食料、水、燃料を積めるだけ積んで出航して、行政職員は救援隊として、さらに病院船として救急医療を行う、ホテルも避難住民を受け入れる。
この様に、これからの日本に絶対に必要なツールになります。
【図面の簡単な説明】
【図１】第１図は本考案の構造図
【図１】
0003228575.tif 000003
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
地方自治体の庁舎、病院、ホテルが三位一体した特徴を持つ方舟。
【請求項２】
請求項１に記載した方舟において、通常は役所の業務、病院の医療業務、ホテルの宿泊の営業を行い，災害発生時は災害対策本部、災害救急病院、避難民受入住宅とする「ノアの方舟」とも言える特徴を持つ方舟。
【請求項３】
請求項２に記載した方舟において、自分達地域の被災が無く、他県や外国で災害や伝染病などが発生した時、出航して現地の港へ接岸して救助船となる特徴を持つ方舟。
(57)【要約】      （修正有）【課題】一つのバッグで、手提げ用のベルトを背負い用のベルトとして使用でき、簡単に収納荷物の量、大きさ、重さに応じて、利用方法を変えて、手提げ、背負いの両用に対応できる大きいサイズのエコバッグを提供する。【解決手段】バッグ本体１の上部に開口部３を設け、バッグ本体に側面部２を設け、側面部の上部に補助帯４を縫い付け、等間隔にベルト通し部５ａ、５ｂを設け、バッグ本体の底部に、等間隔にベルト６ａ、６ｂを縫い付け、固着し、側面部を通し、さらに、ベルト通し部を通し、反対側にベルトの一方の側面部を縫い付け、固着し、ベルトの長さは、リュックサックとして、背負える長さにし、手提げとして利用できるように、ベルトに握り部７を設けた。【選択図】図１
0003228567.tif 000002
【実用新案登録請求の範囲】
【請求項１】
バッグ本体（１）の上部に開口部（３）を設け、
バッグ本体（１）の側面部（２）を設け、側面部（２）の上部に補助帯（４）縫い付け、等間隔にベルト通し部（５ａ）、ベルト通し部（５ｂ）を設け、
バッグ本体（１）の底部に、等間隔にベルト（６ａ）、ベルト（６ｂ）を縫い付け、固着し、側面部（２）のを通し、さらに、ベルト通し部（５ａ）、ベルト通し部（５ｂ）を通し、反対側にベルト（６ａ）、ベルト（６ｂ）の一方の側面部に縫い付け、固着し、
ベルト（６ａ）、ベルト（６ｂ）の長さは、リックサックとして、背負える長さにし、
手提げとして利用する場合に、ベルト（６ａ）、ベルト（６ｂ）、握り部（７）を設ける。
以上のように構成された、手提げ、背負いの両用に対応できる大きいサイズのエコバッグ。
【考案の詳細な説明】
【技術分野】
【０００１】  本考案は、一つのバッグで、手提げ用のベルトを背負い用のベルトとして使用できるように工夫したバッグで、簡単に収納荷物の量、大きさ、重さに応じて、利用方法を変えて、手提げ、背負いの両用に対応できる大きいサイズのエコバッグに関するものである。
大きいサイズとは、複数の買い物袋を両手に持たなくていいように、一つにまとめられる大きさである。
買った物の収納する荷物の量、大きさ、重さに応じて、このエコバックが対応できて、買い物も、荷物を運ぶのも楽にできる手提げ、背負いの両用に対応できる大きいサイズのエコバッグに関するものである。
【背景技術】
【０００２】  従来から、ナップサックのような背負いバッグの上部に手提げ用の取っ手を設けたものは、背負いと手提げの両用に対応できるバッグがあった。
ツーウエイバッグと称されている。
全体の大きさにこだわった、エコバッグではなかった。
【先行技術文献】
【特許文献】
【０００３】
【特許文献１】特開２００１−２４５７２０号公報
【特許文献２】実用新案登録第３１７９３５５号公報
【考案の概要】
【考案が解決しようとする課題】
【０００４】  これは、次のような欠点があった。
（イ）手提げとして使用する場合とリックサックとして使用する場合に応じて、肩紐を背当面側に回したり、表面側に回したりして使い分けなければならず、手間がかかっていた。
（ロ）買った物の収納する荷物の量、大きさ、重さに応じて、簡単に利用態様を変えることができなかった。
（ハ）バック全体が折り畳み可能な素材でできていなかった。
（ニ）荷物が多いと、両手がふさがり、歩行時、不安定になり、バランスをくずして、転んで、怪我をしてしまう原因にもなっていた。
【課題を解決するための手段】
【０００５】  バッグ本体（１）の上部に開口部（３）を設け、
バッグ本体（１）の側面部（２）を設け、側面部（２）の上部に補助帯（４）縫い付け、等間隔にベルト通し部（５ａ）、ベルト通し部（５ｂ）を設け、
バッグ本体（１）の底部に、等間隔にベルト（６ａ）、ベルト（６ｂ）を縫い付け、固着し、側面部（２）のを通し、さらに、ベルト通し部（５ａ）、ベルト通し部（５ｂ）を通し、反対側にベルト（６ａ）、ベルト（６ｂ）の一方の側面部に縫い付け、固着し、
ベルト（６ａ）、ベルト（６ｂ）の長さは、リュックサックとして、背負える長さにし、
手提げとして利用する場合に、ベルト（６ａ）、ベルト（６ｂ）、握り部（７）を設ける。
以上のように構成された、手提げ、背負いの両用に対応できる大きいサイズのエコバッグ。
【考案の効果】
【０００６】  以上の説明でわかるように、本考案は、次に列挙する効果が得られる。
（イ）手提げからリュックサック、リュックサックから手提げへと簡単に変化できる。
（ロ）荷物の量が少ないときや軽いときは、手提げとして使用する。
（ハ）荷物の量が多いときや重いときは、背負って、リュックサックとして使用する。
（ハ）使用時に荷物が安定し、携帯にも適したエコバッグを提供できる。
（二）荷物の落下や盗難などを防止できる。
（ホ）バック全体が折り畳み可能な素材で形成されている。
（ヘ）たとえば、荷物が多いと、まとめて、エコバッグに収納できるので、両手が自由に使えるので、歩行時、安定する。
【図面の簡単な説明】
【０００７】
【図１】  本考案を手提げとして使用する状態を示した斜視図である。
【図２】  本考案を手提げとして使用する状態を示した斜視図である。
【図３】  本考案を背負いバッグとして使用するためのベルトの動きを示した説明図である。
【考案を実施するための形態】
【０００８】  以下、図面に示した考案を実施するための形態を説明する。
バッグ本体（１）の上部に開口部（３）を設け、
バッグ本体（１）の側面部（２）を設け、側面部（２）の上部に補助帯（４）縫い付け、等間隔にベルト通し部（５ａ）、ベルト通し部（５ｂ）を設け、
バッグ本体（１）の底部に、等間隔にベルト（６ａ）、ベルト（６ｂ）を縫い付け、固着し、側面部（２）のを通し、さらに、ベルト通し部（５ａ）、ベルト通し部（５ｂ）を通し、反対側にベルト（６ａ）、ベルト（６ｂ）の一方の側面部に縫い付け、固着し、
ベルト（６ａ）、ベルト（６ｂ）の長さは、バッグとして、背負える長さにし、
手提げとして利用する場合に、ベルト（６ａ）、ベルト（６ｂ）、握り部（７）を設ける。
以上のように構成された、手提げ、背負いの両用に対応できる大きいサイズのエコバッグある。
本考案の使い方をする。
本考案のエコバッグは、たとえば、荷物の量が少ないときや軽いときは、手提げとして使用する。
荷物の量が多いときや重いときは、背負って、リュックサックとして使用する。
一つのバッグで、手提げ用のベルトを背負い用のベルトとして使用できるように工夫したバッグで、簡単に収納荷物の量、大きさ、重さに応じて、利用方法を変えて、手提げ、背負いの両用に対応できる大きいサイズのエコバッグである。
使い方の変更も容易である。
バッグに収納した荷物が多くなったとき、重くなったとき、両手を空けたいときなどは、にバッグを背負い、リュックサックとしての利用すればいい。
また、携帯しているときに荷物が安定する。
【符号の説明】
【０００９】    １  バッグ本体
２  側面部
３  開口部
４  補強帯
５ａ、５ｂ  ベルト通し部
６ａ、６ｂ  ベルト
７  握り部
【図１】
0003228567.tif 000003
【図２】
0003228567.tif 000004
【図３】
0003228567.tif 000005
(57)【要約】      （修正有）【課題】隣の観客の唾液の飛散を防ぐスタジアム用の仕切りを提供する。【解決手段】仕切１００は、多数の観客用座席を備えたスタジアムの座席ごとに設けられる仕切り１００であって、座席仕切り１００が上部から垂下されることを特徴とする。【選択図】図１
0003228522.tif 000002
【実用新案登録請求の範囲】
【請求項１】
多数の観客用座席を備えた座席ごとに設けられる仕切りであって、
前記座席仕切りが上部から垂下されることを特徴とする仕切り。
【考案の詳細な説明】
【技術分野】
【０００１】
本発明は、屋外に設けられるスタジアムの観客席の仕切りの考案である。
【背景技術】
【０００２】
座席を仕切る発明としては例えば、実開平５−７１８９号公報に開示されたものが知られている。多数の乗客用座席を備えた自動車の座席の一または少数の座席ごとに設けられる座席仕切りカーテンの構造において、座席の背部に設けた格納函と、その格納函の内部および座席周囲の床面に取付けられたレールと、前記格納函に収容可能でありこのレールに沿って引き出される構造の自立形のカーテンと、このカーテンの端部に設けられたフックとを備えたことを特徴とする。
【先行技術文献】
【特許文献】
【０００３】
【特許文献１】実開平５−７１８９号公報
【考案の概要】
【考案が解決しようとする課題】
【０００４】
上記公報をはじめとして従来の座席を仕切る方法はカーテンが主流であった。しかしながら、近年、インフルエンザの流行で、多くの人がマスクをしている。このような状況では他人のくしゃみ等による唾液の飛散に敏感になっている。この問題点を鑑み、本発明者は、スタジアム用座席の新たな発明を行った。
【課題を解決するための手段】
【０００５】
上記課題を解決する本発明は、多数の観客用座席を備えたスタジアムの座席ごとに設けられる仕切りであって、前記座席仕切りが上部から垂下されることを特徴とするスタジアム用仕切りである。
【考案の効果】
【０００６】
本発明のスタジアム用しきりであれば、隣の観客の唾液の飛散を防ぐことができる。
【図面の簡単な説明】
【０００７】
【図１】本考案の実施形態に係るスタジアム用仕切りの斜視図である。
【図２】本考案の実施形態に係るスタジアム用仕切りの斜視図である。
【図３】本考案の実施形態に係るスタジアム用仕切りの斜視図である。
【図４】本考案の実施形態に係るスタジアム用仕切りの斜視図である。
【図５】本考案の実施形態に係るスタジアム用仕切りの斜視図である。
【考案を実施するための最良の形態】
【０００８】
以下、本発明のスタジアム用仕切り１００について、添付図面に基づき説明する。図１から図３は、本発明の一実施形態に係るスタジアム用仕切り７００の概略構成を示した正面図である。本実施例のスタジアム用仕切り７００は、天井から吊り下げることができる。
図１から図３で示すように本考案のスタジアム用仕切りはスタジアムの観客席に用いられる。観客席は図に示すように横に長く、隣の席との間隔が狭い。このためとなり席の観客の咳等による、唾液の飛散を防ぐために、上部から仕切りを吊り下げることになる。仕切りは透明の部材で加工されることができる。使用しないときは仕切りを出さないこともできる。
【産業上の利用可能性】
【０００９】
本発明のスタジアム用仕切りであれば、隣の観客の唾液の飛散を防ぐことができる。したがってその産業上の利用可能性は多い。
【符号の説明】
【００１０】
１００：スタジアム用仕切り
【図１】
0003228522.tif 000003
【図２】
0003228522.tif 000004
【図３】
0003228522.tif 000005
【図４】
0003228522.tif 000006
【図５】
0003228522.tif 000007
(57)【要約】【課題】通気性等に優れたスヌードを提供する。【解決手段】スヌード１は、手ぬぐい生地を使い中空の円筒形状に形成されている。このスヌード１は、内側面２及び外側面３それぞれが異なる色又は模様で染色されている。【選択図】図１
0003228526.tif 000002
【実用新案登録請求の範囲】
【請求項１】
手ぬぐい生地を使い環形状に形成されたスヌード。
【請求項２】
環形状における内側及び外側それぞれが異なる色及び模様の少なくとも何れかで染色される請求項１に記載のスヌード。
【請求項３】
１枚の長方形の手ぬぐい生地の両端を繋げて円筒の環形状に形成され、
開口された両端部間の距離が、環形状の周方向の長さの半分の値よりも大きい請求項１又は２に記載のスヌード。
【考案の詳細な説明】
【技術分野】
【０００１】
本考案は、スヌードに関する。
【背景技術】
【０００２】
従来、様々なスヌードが提案されている（特許文献１）。
【先行技術文献】
【特許文献】
【０００３】
【特許文献１】実用新案登録第３１８２４２９号
【考案の概要】
【考案が解決しようとする課題】
【０００４】
本考案の目的は、通気性等に優れたスヌードを提供することである。
【課題を解決するための手段】
【０００５】
前記課題を解決するために、本考案の第１の態様は、手ぬぐい生地を使い環形状に形成されたスヌードである。
【０００６】
本考案の第２の態様では、環形状の内側及び外側それぞれが異なる色及び模様の少なくとも何れかで染色されることが好ましい。
【０００７】
本考案の第３の態様では、１枚の長方形の手ぬぐい生地の両端を繋げて環形状に形成され、開口された両端部間の距離が、環形状の周方向の長さの半分の値よりも大きいことが好ましい。
【考案の効果】
【０００８】
本考案の前記第１の態様によれば、スヌードは、手ぬぐい生地を使っているため、通気性、速乾性に優れ、衛生面でも優れている。
【０００９】
本考案の前記第２の態様によれば、スヌードは、環形状の内側及び外側それぞれが異なる色及び模様の少なくとも何れかで染色されるため、表裏をリバーシブルに使える。
【００１０】
本考案の前記第３の態様によれば、スヌードは、１枚の長方形の手ぬぐい生地の両端を繋げて環形状に形成され、開口された両端部間の距離が、環形状の周方向の長さの半分の値よりも大きいため、使用者が装着した際に首を含めて、使用者の首元、顎付近まで確実に覆うことができるようになる。
【図面の簡単な説明】
【００１１】
【図１】図１は、スヌードの一例を示す斜視図である。
【図２】図２は、スヌードの一例を示す正面図である。
【図３】図３は、スヌードの装着例を示す図である。
【考案を実施するための形態】
【００１２】
本考案の実施形態を図面を参照しつつ説明する。
本実施形態では、スヌードを挙げている。
【００１３】
（構成）
図１は、スヌード１の一例を示す斜視図である。また、図２は、スヌード１の一例を示す正面図である。
【００１４】
図１及び図２に示すように、スヌード１は、中空の略円筒形状をなしている。スヌード１は、手ぬぐい生地、手ぬぐい素材を用いて形成されている。このスヌード１は、内側面２及び外側面３それぞれが異なる色又は模様に染色されている。
【００１５】
このスヌード１は、１枚の長方形の手ぬぐい生地、手ぬぐい素材の両端を繋げて円筒形状に形成されている。繋げた部位は、縫い糸４によって縫われており、内側面２で露出する縫い糸４は、内側面２の色又は模様に合致する色の縫い糸が用いられ、外側面３で露出する縫い糸４は、外側面３の色又は模様に合致する色の縫い糸が用いられている。
【００１６】
図２は、具体的には、図２における左右方向の両端を折り内側面２において対向する面同士を接合させた状態を示す正面図である。本例では、図２に示すように、スヌード１は、開口部５が形成されている両端部６，７間の距離（高さ方向の距離）ｈが、周方向の長さの半分の値（幅方向の長さ）ｄよりも大きくなっている。
【００１７】
（使用例等）
次に、スヌード１の装着例について説明する。
【００１８】
図３は、スヌード１の装着例を示す図である。
【００１９】
図３に示すように、使用者１００に装着されたスヌード１は、高さがあるために、自重で高さ方向で折れ畳まれた状態になりつつ、使用者の首を含めて、首元、顎付近まで確実に覆うことができるようになる。そして、スヌード１は、自然に折れ畳まれた状態の外観の雑然とした感じがデザイン性を生んでいる。また、スヌード１は、内側面２にも色や模様が施されているため、自然に折れ畳まれた状態で内側面２の色や模様も外に露出し、さらにデザイン性を生んでいる。
【００２０】
さらに、使用者１００が現在装着している状態でその内側面２にも色や模様が施されているため、使用者１００は、スヌード１を現在装着している状態から裏返しして使用することもできる。これにより、スヌード１は、使用者１００に使用用途のバリエーションを提供できる。
【００２１】
（本実施形態における効果）
（１）スヌード１は、手ぬぐい生地を使っているため、通気性、速乾性に優れ、衛生面でも優れている。
【００２２】
（２）スヌード１は、環形状の内側面２及び外側面３それぞれが異なる色又は模様に染色されるため、表裏をリバーシブルに使える。
【００２３】
（３）スヌード１は、１枚の長方形の手ぬぐい生地の両端を繋げて環形状に形成され、開口された両端部間の距離が、環形状の周方向の長さの半分の値よりも大きいため、使用者が装着した際に首を含めて、使用者の首元、顎付近まで確実に覆うことができるようになる。
【００２４】
（本実施形態の変形例等）
前記の実施形態の他の例として、スヌード１は、環形状である限り、前述以外の形状に形成されることもできる。
【００２５】
また、前記の実施形態の他の例として、スヌード１は、両端部６，７間の距離（高さ方向の距離）ｈが、周方向の長さの半分の値（幅方向の長さ）ｄ以下とされることもできる。
【００２６】
また、前記の実施形態の他の例として、スヌード１は、内側面２及び外側面３それぞれが異なる色及び模様で染色されることもできる。
【００２７】
また、本考案の実施形態を開示したが、当業者によっては本考案の範囲を逸脱することなく変更が加えられうることは明白である。すべてのこのような修正及び等価物が次の請求項に含まれることが意図されている。
【符号の説明】
【００２８】
１  スヌード
【図１】
0003228526.tif 000003
【図２】
0003228526.tif 000004
【図３】
0003228526.tif 000005
(57)【要約】      （修正有）【課題】ボルトに使用するとき、ネジを痛めないようにボルトの軸に一つ穴と一段の段差を設けたＬ型一つ穴式一段ボルトを提供する。【解決手段】Ｌ型のボルトの軸に応力吸収用の一つの穴と、ナット６固定用の一段の段差を設ける。この構造により、ボルトがＬ型一つ穴式一段ボルトとなる。材料にシリコン半導体、ＳｉＣ半導体等を使用することにより、高電圧にも有効な特性を有する。ボルトの頭部は、上部が半円で正三角形のドライバ用くぼみを有する。【選択図】図１
0003228540.tif 000002
【実用新案登録請求の範囲】
【請求項１】
ボルトにＬ型の形状で、軸に一つ穴と一段差があるのを設けたＬ型一つ穴式一段ボルト。
【請求項２】
ボルトにシリコン半導体の素材を使用すると６０００〜８０００ボルトの耐電圧があり有効に使える。
【請求項３】
又、ＳｉＣ半導体素材を使用すると、２００００ボルトの耐電圧があり有効に使用できる。
【請求項４】
これに加え持つ海底ケーブルを用いた高電圧直流送電東日本（５０ヘルツ／西日本６０ヘルツ）の周波数変換用ボルト（ネジ）に使用できる。
【請求項５】
電力変換用システムでは１００００〜３００００ボルトの電気に扱われるボルトに最適です。
【請求項６】
ボルトのネジ山３７°を使用し又、架線（配電系統でも６６００ボルトの電気が使われるボルトである。
【請求項７】
ボルトの素材に使用される半導体は、大幅な小型化と低損失化、低コスト化が可能で高電圧電力変換設備の原子力発電所１〜２基分の電力を節約できる。ボルトの素材としては、アルミニウム、ゲルマニウムなど半導体を使用するとボルトネジの発達がなされる。
【考案の詳細な説明】
【技術分野】
【０００１】本考案は、Ｌ型のボルトの軸に一つ穴に一段の段差をしようとしたボルトに関するものである。
【背景技術】
【０００２】従来、ボルトはＬ型と一つ穴と一段の段差のあるボルトとは別々になっていた。
【先行技術文献】
【特許文献】
【０００３】
【特許文献１】
【非特許文献】
【０００４】特開２０１１−１２７７１号公報
【考案の概要】
【考案が解決しようとする課題】
【０００５】これは、次のような欠点があった。
従来、ボルトは何度も使っているうちにネジのすり減り、まし締め、折れ曲がり、などがありその上、錆があり困ることが多かった。
本発明は、以上のような欠点をなくすためになされたものである。【０００６】本考案は、ボルトの軸にボルト穴を設け、頭部近くにφ３ｍｍ程の穴にストツパーピンでナツトと、完全に固定をし、ボルト自体の破壊とワレをなくす事をなすものである。且つ、ボルト自体の折れ曲がり、切断をなくすことを解決している。
【考案の効果】
【０００７】上述の様に、本考案のボルトは横ゆれ、たてゆれに強く、安全に手作業をほどこし、スピーデイーに扱える。一つ穴式は弾性素材を示し、耐久性にすぐれたボルトで、ボルト頭部は塑性を示して、ベクトル的な特性をいかし、ゆがみを防ぐものである。
【図面の簡単な説明】
【０００８】
【図１】  本考案のＬ型一つ穴式一段ボルトの実施例を示す側面図である。
【図２】  ボルトの平面図である。
【０００９】
0003228540.tif 000003
端部分５ｍｍ  ピンボルトφ３ｍｍ
クランク角のネジ山６０°左３０°、右３０°のネジの山を持ちクランク角頂上で計９０°を有し、歯車のかみ合わせがある。
【実施例】
【００１０】以下  添付図面に従って実施例を説明する。
６のナツトが、２の一段ボルトを移動し、４のボルト頭部に静止し、５のストツパーピンにより完全に固定をする。クランク角９０°で頂上のネジ山は台形のかたちをしている。ベルトル的な上下、左右からの圧縮、引ぱりの力に対して、バネ状の力が働きボルトの破壊やキレツが入るのを防ぎます。【００１１】４は前記ボルト本体頭部に正三角形のくぼみを設たボルトで、６のナツトの移動  ５のストツパーピンで固定、ボルト頭部の正三角形工具で回わして行き、手作業を終了します。
例えば素材としてはステンレス鋼を使用すると効果的面です。
通常は、安価な鉄をしようします。【００１２】本考案の実施例は上述の如き構成からなるものであるから、ボルト本体を機械部品にもちいることは勿論であるが５にストツパーピンを挿入して固定すればボルト軸とナツトとは完全に固定をされ単性、塑性というボルト頭部とボルト軸の耐久性は非常にすぐれているのである。ボルト頭部の正三角形は一辺が７ｍｍである。
【符号の説明】
【００１３】１  ５ｍｍ
２  ２５ｍｍ
３  ３３ｍｍ
４  φ２１ｍｍ（半円）
５  φ３ｍｍ
0003228540.tif 000004
７  正三角形一辺の長さ７ｍｍ
【図１】
0003228540.tif 000005
【図２】
0003228540.tif 000006
【手続補正書】
【提出日】令和2年6月13日(2020.6.13)
【手続補正１】
【補正対象書類名】実用新案登録請求の範囲
【補正対象項目名】全文
【補正方法】変更
【補正の内容】
【実用新案登録請求の範囲】
【請求項１】
ボルトにＬ型の形状をもち、軸に一つの穴と一段差があり強度的に非常にすぐれたことを特徴とすボルト。
【請求項２】
ボルトのネジ山は３７度〜４２度の傾斜を持った台形のネジ山で強い耐久力性、持続性性が増すことを特徴とする請求項１に記載のボルト。
【請求項３】
ボルトの素村としては、ＳｉＣ半導体、シリコン半導体を組み合わせたことにより耐久性、高低温域での使用が可能であることを特徴とする請求項２に記載のボルト。
【請求項４】
ボルト軸にＬ型の形状をもった組み合わせにより振動、衝撃に強く持続性が増すことを特徴とする請求項３に記載のボルト。
【請求項５】
ボルトプラスメツキ処理をする組み合わせにより腐食性、塩害に強く持続性があることを特徴とする請求項４に記載のボルト。
【請求項６】
内歯・外歯ワツシヤを組合わせると、ボルト自体の強度が増し、振動、ゆるみに対し、有効に扱えることを特徴とする請求項５に記載のボルト。
【請求項７】
ボルト軸にスプリングナツト・ワツシヤを組み合合わせると破壊力、ゆるみに強いことを特徴とする請求項６に記載のボルト。
【請求項８】
ボルト軸に段差とＬ型頭部からなる形状をもち弾性域に非常にすぐれたことを特徴とする請求項７に記載のボルト。
【請求項９】
ボルト軸に一つの穴を設けたことにより、引張り圧しゅくに対し耐久性が増すことを特徴とする請求項項８に記載のボルト。
【請求項１０】
ボルト本来の腐食性、振動、衝撃において、ボルト軸にワツシヤ・スプリングナツトを組み合わせることが効用、効果に良いことを特徴とする請求項９に記載のボルト。
【請求項１１】
ボルト頭部、軸部にスプリングナツトを組み合わせ、これにサシ金で固定、負荷に対して強度が増すことを特徴とする請求項１０に記載のボルト。
【請求項１２】
Ｌ型一つ穴式一段ボルトにゲルマニウムメツキ素材を組み合わせると耐久性、持続性、絶縁性にすぐれ広範囲に使用されることを特徴とする請求項１１に記載のボルト。
(57)【要約】      （修正有）【課題】調理用バット内に収容するバットアミの変形を防止する調理用バットアミを提供する。【解決手段】複数のＸ方向の線材２と複数のＹ方向の線材３を格子状に交差させ、下方に脚体４を垂設した調理用バット内に収容するバットアミにおいて、Ｙ方向の線材同士の間隔をＸ方向の線材同士の間隔に比べて狭く設定し、２本のＹ方向の線材に挟まれたＸ方向の線材を両端のＹ方向の線材との交差箇所を起点として下方に凸状に折り曲げて垂下させることにより脚体とする。【選択図】図１
0003228554.tif 000002
【実用新案登録請求の範囲】
【請求項１】
複数のＸ方向の線材と複数のＹ方向の線材を格子状に交差させ、下方に脚体を垂設した調理用バット内に収容するバットアミにおいて、Ｙ方向の線材同士の間隔をＸ方向の線材同士の間隔に比べて狭く設定し、２本のＹ方向の線材に挟まれたＸ方向の線材を両端のＹ方向の線材との交差箇所を起点として下方に凸状に折り曲げて垂下させることにより脚体としたことを特徴とする調理用バットアミ。
【請求項２】
調理用バットアミは矩形にして、短手側をＸ方向の線材で、長手側をＹ方向の線材で構成した請求項１記載の調理用バットアミ。
【請求項３】
Ｘ方向の線材を下方に凸状に折り曲げて垂下させることにより構成した脚体は底部を平坦に構成した請求項１または２記載の調理用バットアミ。
【考案の詳細な説明】
【技術分野】
【０００１】
本願考案は調理において使用する調理用バットアミに関する。
【背景技術】
【０００２】
調理において、下ごしらえする食材を一時的に置いたり、あるいは調理済みの食材を盛り付け前に一時的に置いたりするために、トレイ状のバットが多用されている。
【０００３】
前者においては、例えば解凍した魚や肉を置く場合にはドリップを切る必要が、後者においては例えば揚げ物を置く場合は油を切る必要があるので、食材をバットの底部との間に間隔をおいて浮かした網状のものに置く必要がある（特許文献１）。
【０００４】
前記の用に供するものとしては、図３に示すように、矩形にして、食材を置くために線材同士の間隔を狭く設定した長手側のＹ方向の複数の線材１３と補強の役目を果たす短手側の複数のＸ方向の線材１２とを格子状に交差させ、バットの底部との間に間隔を置くために下方に脚体１４を垂設したものが調理用バットアミとして公知である（非特許文献１）。
【０００５】
この場合、前記の脚体は長手側のＹ方向の線材の中途を凸状に折り曲げて垂下させることにより構成していた。
【先行技術文献】
【特許文献】
【０００６】
【特許文献１】実開昭５１−２３０５７３
【特許文献２】実用新案登録第３１２１３５７号
【非特許文献１】インターネットホームページ「Ａｍａｚｏｎヨシカワ角バットアミ」（https://www.amazon.co.jp/%E3%83%A8%E3%82%B7%E3%82%AB%E3%83%AF-Yoshikawa-SH8644-%E3%83%9F%E3%82%BA%E3%83%AA%E3%83%BC%E3%83%89II-18-8%E8%A7%92%E3%83%90%E3%83%83%E3%83%88%E3%82%A2%E3%83%9F/dp/B003VA4K0W/ref=sr＿1 ＿1 ＿sspa? ＿＿mk＿ja＿JP=%E3%82%AB%E3%82%BF%E3%82%AB%E3%83%8A&dchild=1&keywords=%E3%83%90%E3%83%83%E3%83%88%E3%82%A2%E3%83%9F&qid=1594877486&s=home&sr=1-1-spons&psc=1&spLa=ZW5jcnlwdGVkUXVhbGlmaWVyPUEyNTBYQkJUM05PMU81JmVuY3J5cHRlZElkPUEwOTc1MDAwMTBSV0ZBWjZEVjZDViZlbmNyeXB0ZWRBZElkPUExMk5KUDkyWUxEOVc5JndpZGdldE5hbWU9c3BfYXRmJmFjdGlvbj1jbGlja1JlZGlyZWN0JmRvTm90TG9nQ2xpY2s9dHJ1ZQ==）
【考案の開示】
【考案が解決しようとする課題】
【０００７】
しかしながら、前記の従来技術の調理用バットアミにおいては、脚体は前後になにもないので、置いた食材の重みで脚体は上に浮いてしまいバットアミが変形するおそれがあった。
【課題を解決するための手段】
【０００８】
本願考案は前記の従来技術の問題点に鑑みて創作されたものであり、複数のＸ方向の線材と複数のＹ方向の線材を格子状に交差させ、下方に脚体を垂設した調理用バット内に収容するバットアミにおいて、Ｙ方向の線材同士の間隔をＸ方向の線材同士の間隔に比べて狭く設定し、２本のＹ方向の線材に挟まれたＸ方向の線材を両端のＹ方向の線材との交差箇所を起点として下方に凸状に折り曲げて垂下させることにより脚体としたことを特徴とする。
【０００９】
また、請求項２記載の考案は前記の調理用バットアミにおいて、調理用バットアミは矩形にして、短手側をＸ方向の線材で、長手側をＹ方向の線材で構成したことを特徴とする。
【００１０】
また、請求項３記載の考案は前記の調理用バットアミにおいて、Ｘ方向の線材を下方に凸状に折り曲げて垂下させることにより構成した脚体は底部を平坦に構成したことを特徴とする。
【考案の効果】
【００１１】
以上の構成よりなる本願考案の調理用バットアミにおいては、脚体は２本のＹ方向の線材に挟まれたＸ方向の線材を両端のＹ方向の線材との交差箇所を起点として下方に凸状に折り曲げて垂下するので、置いた食材の重みで荷重が加わっても、脚体は２本のＹ方向の線材により押さえられるので上に浮くことがなくバットアミが変形が防止される。
【図面の簡単な説明】
【００１２】
【図１】本願考案の調理用バットアミの斜視図。
【図２】同上、要部の断面図。
【図３】従来技術のバットアミの斜視図。
【考案を実施するための最良の形態】
【００１３】
以下、本願考案の調理用バットアミの具体的実施例を添付図面に基づいて説明する。図１は本願考案のバットアミを示す図である。このバットアミは図示しない矩形の調理用バットに収容可能な形状および大きさを有する金属製のものであり、ここでは短手側のＸ方向の線材２と長手側のＹ方向の線材３を格子状に交差させ、さらに周囲に環状の線材１を配した構成よりなる。
【００１４】
図中符号４は前記の調理用バットアミにおいて、短手側のＸ方向の線材２と長手側のＹ方向の線材３がなす格子を収容すべきバットの底面から浮かすための脚体である。この脚体４は図２に示すように２本のＹ方向の線材３、３に挟まれたＸ方向の線材２の中途を両端のＹ方向の線材との交差箇所を起点として線材の中途を凸状に折り曲げて垂下させることにより構成される。なお、ここでは脚体は底部を平坦に構成することにより、設置面積を増やして荷重を分散している。
【符号の説明】
【００１５】
１      環状の線材
２      Ｘ方向の線材
３      Ｙ方向の線材
４      脚体
【図１】
0003228554.tif 000003
【図２】
0003228554.tif 000004
【図３】
0003228554.tif 000005
(57)【要約】      （修正有）【課題】不使用時には他のカバンなどにアクセサリーとして付着させ持ち運びすることが出来、使用時に迅速にエコバッグ形状に変化させて使用することができるエコバッグを提供する。【解決手段】エコバッグは、バッグ本体にポケット２、ベルト３、ストラップパーツ６を備える。バッグ本体をポケット２に収納したものを、リボン形状に畳み、ベルト３に付いているボタンで固定することによりリボン型に変形する。別体バッグの外にデザイン性のあるリボン型として取り付けらる仕様にした事により、すぐに手に取れること、紛失を避けること、バッグの中でかさばるなど管理上の問題点を解決している。また、付属のストラップパーツ６も着脱可能で当該バッグの装飾として活用する機能を含むものである。【選択図】図２
0003228545.tif 000002
【実用新案登録請求の範囲】
【請求項１】
布製リボン形状の装飾物であるバッグチャームの本体中心部分の布ベルトをボタンで着脱することにより、持ち手が２箇所の手提げ袋形状のバッグに変形するとともに、付属の金属チェーン部分も着脱可能で当該バッグの装飾として活用する特徴を有するエコバッグ。
【考案の詳細な説明】
【技術分野】
【０００１】  本考案は、リボンの形状をしたバッグチャームを広げるとバッグに変形するエコバッグに関するものである。
【背景技術】
【０００２】  近年の環境志向に加えて、レジ袋有料化によりスーパーマーケット等で使用されるレジ袋の仕様から買い物用エコバッグを活用する生活シーンへの変化対応が求められている。
【先行技術文献】
【特許文献】
【０００３】
【特許文献１】実用新案登録第３２２５０９２号広報
【考案の概要】
【考案が解決しようとする課題】
【０００４】  この従来型のバッグは、エコバッグとして本体を折りたたみ別体の携帯用に袋に収納するため収納袋の管理が必要であるという課題を有している。
【考案の概要】
【考案が解決しようとする課題】
【０００５】  従来のエコバッグは、折りたたみ式など生地自体を変化させるものや携帯用外袋に収納する形状のものは存在する。当バッグは丸めて布ベルトとボタン着脱によりリボン形状に変化させ、金属チェーンを付属させてアクセサリー機能を持たせるものである。【０００６】  この構造のエコバッグは、不使用時には他のカバンなどにアクセサリーとして付着させ持ち運びすることが出来、使用時に迅速にエコバッグ形状に変化させて使用することができる。
【課題を解決するための手段】
【０００７】  本考案は、別体バッグの外にデザイン性のあるリボン型として取り付けらる仕様にした事により、すぐに手に取れること、紛失を避けること、バッグの中でかさばるなど管理上の問題点を解決している。【０００８】  また、付属の金属チェーン部分も着脱可能で当該バッグの装飾として活用する機能を含むものである。
【考案の効果】
【０００９】  上述の様に、本考案のリボン型バッグチャーム兼エコバッグは、布製リボン形状の装飾物であるバッグチャームの本体中心部分の布ベルトをボタンで着脱することにより、持ち手が２箇所の手提げ袋形状のバッグに変形することが可能になりすぐに手に取れること、紛失を避けること、バッグの中でかさばるなど管理上の課題を解決している。リボン型のデザインと着脱可能な金属チェーンの付属により日常を演出するアクセサリー効果も見込める。
そして、持ち手が２箇所の手提げ袋形状のバッグとしてスーパーマーケットや百貨店などにおいて、飲食物、贈答品などを安定して収納し運搬できる効果を発揮する。
【図面の簡単な説明】
【００１０】
【図１】本バッグチャーム兼エコバッグ、エコバッグ時の正面図である。
【図２】本考案のリボン型バッグチャーム兼エコバッグの一実施例を示す正面図である。
【図３】本バッグチャーム兼エコバッグ、バッグチャーム時の背面図である。
【考案を実施するための形態】
【００１１】  布製リボン形状の装飾物であるバッグチャームの本体中心部分の布ベルトをボタンで着脱することにより、持ち手が２箇所の手提げ袋形状のバッグに変形するとともに、付属の金属チェーン部分も着脱可能で当該バッグの装飾として活用する。
【実施例】
【００１２】  以下、添付図面に従って一実施例を説明する。１バッグ本体を２のポケットに収納したものを、リボンの形状に畳み３のベルトに付いている４ボタンで固定することにより本体がリボン型に変形する。
また、３のベルトに付いている５ループに６ストラップパーツを取り付けバッグチャームとして使用できるものである。【００１３】  ６のストラップパーツはエコバッグとして使用時、７の持ち手部分に取り付けるアクセサリーとしても使用出来る。
【符号の説明】
【００１０】１  バッグ本体
２  ポケット
３  ベルト
４  ボタン
５  ループ
６  ストラップ
７  持ち手
【図１】
0003228545.tif 000003
【図２】
0003228545.tif 000004
【図３】
0003228545.tif 000005
(57)【要約】      （修正有）【課題】呼吸した時に通る目や鼻の脇の隙間の息を遮る構造のニットマスクを提供する。【解決手段】マスク面の顔側２であって、鼻と目の窪みの部分に、マスク面と同素材で編み込んだ突起物１を有する。呼吸の空気の流れが目の方向に逃げるのを防止する。【選択図】図１
0003228482.tif 000002
【実用新案登録請求の範囲】
【請求項１】
無縫製一体型立体鼻息ストッパー付ストレッチニットマスク。
また本製品は鼻の部分から顎方向に編み進めていきますので、耳掛け部分は独立した別の素材で編むことが出来るため、自由度が増えます。マスクに鼻あてになる様に立体の柔らかい突起を同時に編み込みます。そうすることにより金属などの付属部品を全く使わずに、メガネを掛けていてもメガネが曇りにくく、まつ毛に抜ける空気をかなり弱くする事が出来ます。
【考案の詳細な説明】
【技術分野】
【０００１】鼻掛け付きマスクを金属などの部品を使わずに、ニットで本体部分を表裏それぞれ違う糸で編み上げて、縫製する事なく簡単な始末で完成する技術です。
【背景技術】
【０００２】ガーゼマスクは布密度が低く、裁断や縫製の手間がかかる。また鼻から目に空気が通るのを防ぐために金属などの部品を使用しなければならなかった。
簡易的なニットマスクは有るが、口元、耳掛けを別にした一体成型マスクが無い。
【考案の概要】
【解決しようとする課題】
【０００３】ガーゼよりも密度を濃くする事。生産を簡単にする事。鼻あて部分に膨らみを作ることにより、針金等の部品を使用せず呼吸の空気の流れを目の方向に逃げるのを防止する。
【課題を解決するための手段】
【０００４】立体になる様に引き返し編みをする。鼻と眼の窪みの部分に立体的で柔らかな膨らみを引き返し編みによって編み付けるようにする。
布の密度は糸にストレッチ性のある糸を同時に編み込む事で縮んで密度が出る事で解決する。
【考案の効果】
【０００５】鼻部分の柔らかな突起により大幅に目方向への空気の流れが遮断され、十分な効果が得られている。
【図面の簡単な説明】
【０００６】
【図１】マスクの顔側から見た図面である。
【図２】マスクの外側から見た図面である。
【図３】マスクをつけた状態の顔の斜め上から見た図面である。
【図４】マスクの鼻あて部分の有る所を縦に切った時の断面図である。
【考案を実施するための形態】
【０００７】コンピューター横編み機のシンカータイプで、編みます。柄組のプログラムは、ＳＤＳ−ＯＮＥというコンピューターで行います。耳部分、口元部分、部分、編み出し編み終わりと４系統に糸を分けて使います。この製品は鼻の脇の窪みを埋めるための柔らかい突起を作るのが要で有るから、その部分を部分的に編んで所々前後を繋げることによって盛り上がりを作ります。
【実施例】
【０００８】このマスクを掛ける事により目方向に抜ける息が相当に抑えられるためメガネが曇りにくい。
【符号の説明】
【０００９】１  内側から見た鼻当て部分の出っ張り
２  マスクの内側
３  耳掛け
４  マスクの外側の図
５  顔の頬
６  マスクと眼の下や鼻の窪みの隙間
７  鼻
８  顔にかけた時のマスクの外側
９  断面の出っ張った様子の部分
【図１】
0003228482.tif 000003
【図２】
0003228482.tif 000004
【図３】
0003228482.tif 000005
【図４】
0003228482.tif 000006
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
マスク面の顔側であって、鼻と目の窪みの部分に、マスク面と同素材で編み込んだ突起物を有するニットマスク。